(57)【要約】【課題】スモールオーバーラップ衝突以外の衝突の際であっても衝突性能を妨げること無く、また、たとえバンパービームの回転等が生じたとしても、確実にバンパービームと衝突してスモールオーバーラップ衝突に対応して目論見の衝突性能を得る。【解決手段】前方に向かって車幅方向に拡径するガセット１００をフロントサイドフレーム４０から延出した車両の車体前部構造において、バンパービーム６０の後面６０ａとガセット１００の前端面１０１ａとの間に間隙部１１０を設けると共に、バンパービーム６０の後面６０ａに対するガセット１００の前端面１０１ａの相対的な位置を予め設定した領域内に規制する上方ガイド部材１２０と下方ガイド部材１３０と側方ガイド部材１４０とを設けた。【選択図】図２
2015137082.tif 000002
【特許請求の範囲】
【請求項１】
前方に向かって車幅方向に拡径するガセットをフロントサイドフレームから延出した車両の車体前部構造において、
バンパービームの後面と上記ガセットの前端面との間に間隙部を設けると共に、上記バンパービームの後面に対する上記ガセットの前端面の相対的な位置を予め設定した領域内に規制する規制手段を設けたことを特徴とする車両の車体前部構造。
【請求項２】
上記規制手段は、少なくとも上記バンパービームの後面から上記ガセットの前端面より後方の上記ガセットの上面に向けて延出した上方ガイド部材と、上記バンパービームの後面から上記ガセットの前端面より後方の上記ガセットの下面に向けて延出した下方ガイド部材とを有し、上記バンパービームの後面に対する上記ガセットの前端面の相対的な上下方向の位置を少なくとも規制することを特徴とする請求項１記載の車両の車体前部構造。
【請求項３】
上記規制手段は、少なくとも上記バンパービームの後面から上記ガセットの前端面より車幅方向外側の側面に延出する側方ガイド部材を有し、上記バンパービームの後面に対する上記ガセットの前端面の相対的な外側方向の位置を少なくとも規制することを特徴とする請求項１又は請求項２記載の車両の車体前部構造。
【発明の詳細な説明】
【技術分野】
【０００１】
本発明は、特に、スモールオーバーラップ衝突に対する性能を向上させる車両の車体前部構造に関する。
【背景技術】
【０００２】
近年、自動車等の衝突安全性の向上が様々に図られており、車体構造において、車両が障害物に対して部分的に衝突するオフセット衝突に対する安全性を向上することが要望されている。特に、近年ではオフセット衝突のうち、車両の車幅方向における端部にのみ障害物が衝突するいわゆるスモールオーバーラップの衝突に対する性能向上が求められている。このようなスモールオーバーラップ衝突に対する技術として、例えば、特開２０１３−２１２７５７号公報（以下、特許文献１）では、フロントサイドフレームから車幅方向外側に突出するガセットを設け、ガセットの前端を、車体前後方向においてクラッシュカンとフロントサイドフレームとの連結部に比べて同じ位置か又は後側に配置し、ガセットの車幅方向外側の側面を、平面視において車体後方に向かって車幅方向内側へ傾斜するように形成し、ガセットとパワーユニットとを車体前後方向にオーバーラップさせる車体前部構造の技術が開示されている。
【先行技術文献】
【特許文献】
【０００３】
【特許文献１】特開２０１３−２１２７５７号公報
【発明の概要】
【発明が解決しようとする課題】
【０００４】
すなわち、上述の特許文献１に開示されるガセットは、フロントサイドフレーム外側のみ衝突する際のエネルギ吸収部材として活用されるもので、バンパービームから入力された衝突荷重をガセットが受け止め、フロントフレームを介してエンジンブロックを反力部材とし、衝突エネルギを吸収するようになっている。しかしながら、バンパービームは、接触した物体の形状や強度により、回転挙動をする可能性があり、衝突の際にガセットがバンパービームと接触しなくなってしまったり、ガセットが上下方向にずれてしまったりする虞がある。このため、バンパービームの後面とガセットの前端面とを連結することが考えられるが、スモールオーバーラップ衝突以外の衝突（例えば、ラップ率の大きな衝突）の際に、バンパービームと連結されたガセットがフロントサイドフレームのエネルギ吸収特性に影響して、目論見とした衝突性能が得られなくなる可能性がある。また、軽度な衝突の際にもガセットが変形してしまう虞もある。
【０００５】
本発明は上記事情に鑑みてなされたもので、スモールオーバーラップ衝突以外の衝突の際であっても衝突性能を妨げること無く、また、たとえバンパービームの回転等が生じたとしても、確実にバンパービームと衝突してスモールオーバーラップ衝突に対応して目論見の衝突性能を得ることができる車両の車体前部構造を提供することを目的としている。
【課題を解決するための手段】
【０００６】
本発明の一態様による車両の車体前部構造は、前方に向かって車幅方向に拡径するガセットをフロントサイドフレームから延出した車両の車体前部構造において、バンパービームの後面と上記ガセットの前端面との間に間隙部を設けると共に、上記バンパービームの後面に対する上記ガセットの前端面の相対的な位置を予め設定した領域内に規制する規制手段を設けた。
【発明の効果】
【０００７】
本発明の車両の車体前部構造によれば、スモールオーバーラップ衝突以外の衝突の際であっても衝突性能を妨げること無く、また、たとえバンパービームの回転等が生じたとしても、確実にバンパービームと衝突してスモールオーバーラップ衝突に対応して目論見の衝突性能を得ることが可能となる。
【図面の簡単な説明】
【０００８】
【図１】本発明の実施の一形態に係る車体前部構造を車両上方から見た模式的平面図である。
【図２】本発明の実施の一形態に係る車体前部構造を車幅方向外側の上後方から見た斜視図である。
【図３】本発明の実施の一形態に係るガセットを上方から見た説明図である。
【図４】本発明の実施の一形態に係るガセットを下後方から斜視図である。
【図５】本発明の実施の一形態に係る車体前部構造のスモールオーバーラップ衝突時の挙動を示す図であって、衝突直前の状態を示す図である。
【図６】本発明の実施の一形態に係る車体前部構造のスモールオーバーラップ衝突時の挙動を示す図であって、衝突直後の状態を示す図である。
【図７】本発明の実施の一形態に係る車体前部構造のスモールオーバーラップ衝突時の挙動を示す図であって、図６の状態の後の状態を示す図である。
【図８】本発明の実施の一形態に係る車体前部構造のスモールオーバーラップ衝突時の挙動を示す図であって、図７の状態の後の状態を示す図である。
【図９】本発明の実施の一形態に係る上方ガイド部材と下方ガイド部材により規制されるガセットの説明図で、図９（ａ）は衝突前の上方・下方ガイド部材とガセットの説明図で、図９（ｂ）は通常のスモールオーバーラップ衝突時の上方・下方ガイド部材とガセットの説明図で、図９（ｃ）は上方ガイド部材により上方への移動が規制されたガセットの説明図で、図９（ｄ）は下方ガイド部材により下方への移動が規制されたガセットの説明図である。
【発明を実施するための形態】
【０００９】
以下、図面に基づいて本発明の実施の形態を説明する。  
図１、図２において、符号１は車両の前部を示し、この車両前部１には、エンジン１０、トランスミッション２０、キャビン３０、フロントサイドフレーム４０、ラジエータパネル５０、バンパービーム６０、フロントサブフレーム７０、フロントホイール８０、フロントサスペンション９０等が設けられている。
【００１０】
エンジン１０は、一例として、縦置き搭載された水平対向４気筒のガソリン又はディーゼルエンジンであり、クランクシャフトを挟んで左右に配置されたシリンダブロックの端部（エンジン１０の側端部）に設けられたシリンダヘッドを備えて構成されている。
【００１１】
トランスミッション２０は、エンジン１０の後部に結合されたトランスミッションケース内に、トルクコンバータ又はクラッチ等の発進デバイス、ＣＶＴバリエータ又は変速ギヤ列等の変速装置、前後輪に駆動力を配分するＡＷＤトランスファ、最終減速装置、フロントディファレンシャル等を収容して構成されている。
【００１２】
キャビン３０は、車両の中央部に設けられ乗員が搭乗する部分で、フロアパネル３１、トーボード３２、フロアトンネル３３、Ａピラー３４、サイドシル３５等を有して構成されている。
【００１３】
フロアパネル３１は、キャビンの床面を構成する実質的に平面状の部分である。トーボード３２は、フロアパネル３１の前端部から上方へ立ち上げて配置された面部であって、キャビン３０の前面部（キャビン３０とエンジンルームとの隔壁部）を構成している。
【００１４】
フロアトンネル３３は、フロアパネル３１の車幅方向における中央部を上方（車室内側）に張り出させて形成され、内部にトランスミッションの後部、プロペラシャフト、排気管等が収容されている。
【００１５】
また、Ａピラー３４は、フロアパネル３１の左右側端部における前端部から上方へ突き出して配置された柱状の構造部材で、サイドシル３５は、Ａピラー３４の下端部から車両後方側へ延び、フロアパネル３１の側端部に沿って配置された梁状の構造部材である。
【００１６】
フロントサイドフレーム４０は、キャビン３０のトーボード３２から車両前方側に突き出して配置された構造部材で、このフロントサイドフレーム４０は、エンジン１０の左右に１対が設けられるとともに、車幅方向内側の面部は、エンジン１０の側面部（水平対向エンジンの場合は、シリンダヘッドのタペットカバー）と間隔を隔てて対向して配置されている。また、フロントサイドフレーム４０は、車両前後方向から見た断面形状が実質的に矩形の閉断面となっている。
【００１７】
ラジエータパネル５０は、エンジン１０の冷却水を冷却するラジエータコアＣやエアコンディショナのコンデンサ等を支持する枠状の構造体であって、エンジン１０の前方に配設されている。また、ラジエータパネル５０の側端部は、フロントサイドフレーム４０の前端部近傍に固定されている。
【００１８】
バンパービーム６０は、車体前端部に設けられる外装部品である図示しないバンパフェイスの内側に設けられ、車幅方向にほぼ沿って伸びた梁状に形成されており、車両の前面衝突時に、荷重を受け車体後方側に伝達するものである。バンパービーム６０は、バンパフェイスの造形に合わせて、前方側が凸となる弧状に湾曲して形成されており、その後面から突き出して形成された基部６１を有し、この基部６１の後端部は、フロントサイドフレーム４０の前端部に固定されている。
【００１９】
フロントサブフレーム７０は、フロントサイドフレーム４０よりも下方に配置されるとともに、エンジン１０を支持する図示しないエンジンマウント、フロントサスペンション９０のロワアーム９２等が取り付けられている。フロントサブフレーム７０は、例えば、矩形の枠状に形成されるとともに、前後に設けられた図示しない取付箇所を、上下方向に配置される図示しないボルトによってフロントサイドフレーム４０等に締結することによって車体に取り付けられている。
【００２０】
フロントホイール８０は、例えばアルミニウム系合金製のリムにタイヤを装着して構成される車両の前輪である。フロントホイール８０は、図示しないハブベアリングハウジングによって回転可能に支持されるとともに、車軸よりも前方に配置されたタイロッドＴを押し引きすることによって、転舵自在となっている。
【００２１】
タイロッドＴは、ステアリングシャフトを介してステアリングホイールに接続されたステアリングギヤボックス（何れも図示せず）に連結され、ドライバのステアリング操作に応じて、車幅方向にほぼ沿って駆動される。尚、図１、図２においては、タイヤは図示を省略し、図５乃至図８においては、リムは図示を省略している。
【００２２】
フロントサスペンション９０は、フロントホイール８０を支持するハブベアリングハウジングを、車体に対して揺動可能に支持するものであり、このフロントサスペンション９０は、例えば、マクファーソンストラット式のものであり、ストラット９１、ロワアーム９２等を有して構成されている。
【００２３】
ストラット９１（図２参照）は、車体のエンジンルーム上部側方に設けられたストラットアッパマウント９３と、ハブベアリングハウジングの上部に設けられた図示しないブラケットとの間に設けられている。ストラット９１は、ショックアブソーバ（ダンパ）及びスプリングをユニット化したものである。
【００２４】
また、車両前部１には、以下説明する衝突荷重を伝達するガセット１００が設けられている。
【００２５】
図１乃至図４に示すように、ガセット１００は、フロントサイドフレーム４０の前端部近傍における車幅方向外側の領域に配置されている。
【００２６】
ガセット１００は、閉断面を有する梁状に形成されるとともに、前端部１０１が後端部１０２に対して車幅方向外側となるように、車両前後方向に対して前開きに傾斜して（前方に向かって車幅方向に拡径して）設けられている。
【００２７】
ガセット１００の前端部１０１は、その前端面１０１ａがバンパービーム６０の後面６０ａに対して、間隔部１１０を有して対向して配設されている。また、ガセット１００の前端部１０１は、フロントサイドフレーム４０から車幅方向外側へ突き出したステー１０３によって支持されている。更に、ガセット１００の後端部１０２は、フロントサイドフレーム４０の車幅方向外側の側面部に、例えば車幅方向外側から挿入されるボルトによって締結され、固定されている。このガセット１００の後端部１０２の車両前後方向における位置は、エンジン１０の前後方向中央よりも車両前方側に配置される。
【００２８】
また、バンパービーム６０の後面６０ａには、ガセット１００の前端面１０１ａより後方のガセット１００の上面に向けて、バンパービーム６０の後面６０ａに対するガセット１００の前端面１０１ａの相対的な上方向への移動を規制する規制手段としての車幅方向に長く幅広の上方ガイド部材１２０が延設されている。
【００２９】
更に、バンパービーム６０の後面６０ａには、ガセット１００の前端面１０１ａより後方のガセット１００の下面に向けて、バンパービーム６０の後面６０ａに対するガセット１００の前端面１０１ａの相対的な下方向への移動を規制する規制手段としての車幅方向に長く幅広の下方ガイド部材１３０が延設されている。
【００３０】
また、バンパービーム６０の後面６０ａには、ガセット１００の前端面１０１ａより後方のガセット１００の車幅方向外側の側面に向けて、バンパービーム６０の後面６０ａに対するガセット１００の前端面１０１ａの相対的な外側方向への移動を規制する規制手段としての上下方向に長く幅広の側方ガイド部材１４０が延設されている。
【００３１】
すなわち、これらガイド部材１２０、１３０、１４０とガセット１００の前端部１０１とは接触しないように（図９（ａ）に示すように、上方ガイド部材１２０とはクリアランスＣLUを有し、下方ガイド部材１３０とはクリアランスＣLdを有し、側方ガイド部材１４０とも同様に、所定のクリアランスを有して）設けられており、スモールオーバーラップ衝突の際に、たとえバンパービーム６０に回転が生じたとしても、ガセット１００の前端面１０１ａは、バンパービーム６０の後面６０ａのガイド部材１２０、１３０、１４０で囲まれた所定の領域内に相対的に維持され、バンパービーム６０の後面６０ａとガセット１００の前端面１０１ａとが確実に接触されて十分な役割を果たせるようになっている。
【００３２】
尚、これらガイド部材１２０、１３０、１４０は、バンパービーム６０の後面６０ａにボルト等を用いて取り付けるものであっても良く、或いは、溶接により取り付けるものであっても良く、また、バンパービーム６０に一体的に形成するものであっても良い。更に、これらガイド部材１２０、１３０、１４０は、バンパーステー等を兼用する部材であっても良い。
【００３３】
また、フロントサイドフレーム４０におけるガセット１００の後端部１０２の固定箇所近傍には、フロントサイドフレーム４０の内部断面を仕切って実質的に閉塞するセパレータ４１（図１参照）が設けられている。
【００３４】
更に、フロントサイドフレーム４０の車幅方向外側の側面部において、ガセット１００の後端部１０２の固定箇所の後方側に隣接する領域には、ビード４２が形成されている。このビード４２は、フロントサイドフレーム４０の側面部を凹ませて上下方向に延在する溝状に形成されている。ビード４２は、前後方向に離間して例えば２本が設けられている。このビード４２は、フロントサイドフレーム４０の剛性を局所的に低下させて、スモールオーバーラップ衝突時にフロントサイドフレーム４０を屈曲させる起点となり、フロントサイドフレーム４０の屈曲を促進するものである。
【００３５】
次に、図５乃至図９を基に、上述のように構成される車両前部１の作用について説明する。  
すなわち、図５乃至図９は、フロントサイドフレーム４０に対して車幅方向外側に障害物Ｂがスモールオーバーラップ衝突した場合の車体各部の挙動を時系列で示すものである。尚、図５乃至図８では、スモールオーバーラップ衝突した場合のガセット１００の挙動を示すための上面図であるため、上方ガイド部材１２０及び下方ガイド部材１３０の図示は省略している。
【００３６】
図５に示すように、車両に対して前方側から接近する障害物Ｂは、その中央部の車幅方向における位置が、フロントサイドフレーム４０の前端部よりも外側に配置されている。この障害物Ｂは、例えば、電柱や信号機等のポールを模した円筒状のものである。
【００３７】
次いで、図６に示すように、障害物Ｂがバンパービーム６０の側部に衝突すると、バンパービーム６０は基部６１を介して、フロントサイドフレーム４０に対して軸方向の圧縮荷重を伝達する。また、バンパービーム６０は、基部６１よりも外側の領域において、側端部が後退する方向に曲げ変形する。これによって、バンパービーム６０の後面６０ａはガセット１００の前端部１０１の前端面１０１ａと当接し、ガセット１００に対して軸方向の圧縮荷重を伝達する。
【００３８】
このバンパービーム６０の後面６０ａとガセット１００の前端面１０１ａとの当接の際、障害物Ｂの形状等の影響により、ガセット１００の前端面１０１ａがバンパービーム６０の後面６０ａから外側にずれようとした場合（例えば、図６中、破線で示すような場合）、この相対的な位置のずれが側方ガイド部材１４０により防止される。
【００３９】
また、障害物Ｂの形状等の影響により、ガセット１００の前端面１０１ａがバンパービーム６０の後面６０ａから上側にずれようとした場合（例えば、図９（ｃ）に示すような場合）、この相対的な位置のずれが上方ガイド部材１２０により防止される。同様に、障害物Ｂの形状等の影響により、ガセット１００の前端面１０１ａがバンパービーム６０の後面６０ａから下側にずれようとした場合（例えば、図９（ｄ）に示すような場合）、この相対的な位置のずれが上方ガイド部材１３０により防止される。尚、図９の各図は、ガセット１００の前端面１０１ａがバンパービーム６０の後面６０ａに対して上下方向にずれようとした場合を説明する図であるので、側方ガイド部材１４０の図示は省略している。
【００４０】
そして、ガセット１００からの荷重は、ガセット１００の後端部１０２を経由してフロントサイドフレーム４０の側面部に対して、車幅方向内側に押し込むように作用する。この押し込み荷重によって、フロントサイドフレーム４０は、ビード４２の周辺を折れの起点として、これよりも前方側が車幅方向内側に変位する方向の屈曲変形を開始する。この変形量が所定以上となると、エンジン１０におけるフロントサイドフレーム４０と対向する箇所であるシリンダヘッド（タペットカバー）と当接する。
【００４１】
そして、図７、図８に示すように、車体に対する障害物Ｂの相対後退量（障害物Ｂに対する車体の相対前進量）がさらに大きくなると、フロントサイドフレーム４０の車幅方向内側への変形量もさらに大きくなり、フロントサイドフレーム４０は、エンジン１０を車幅方向における反対側（障害物Ｂと衝突していない側）に押圧して変位させる。このとき、フロントサイドフレーム４０の前端部における未圧壊領域は、その軸方向力によってエンジン１０の車幅方向外側への押し出しを促進する。
【００４２】
このように、車両のなかでも重量物であるエンジン１０が車幅方向反対側へ押されることによって、車両は、障害物Ｂを回避する方向へ向きを変え、キャビン３０のＡピラー３４、サイドシル３５等への伝達荷重が軽減される。また、フロントサイドフレーム４０は、上述した屈曲変形によって、それ自体がエネルギを吸収する機能を発揮する。
【００４３】
以上説明したように、本発明の実施の形態によれば、前方に向かって車幅方向に拡径するガセット１００をフロントサイドフレーム４０から延出した車両の車体前部構造において、バンパービーム６０の後面６０ａとガセット１００の前端面１０１ａとの間に間隙部１１０を設けると共に、バンパービーム６０の後面６０ａに対するガセット１００の前端面１０１ａの相対的な位置を予め設定した領域内に規制する上方ガイド部材１２０と下方ガイド部材１３０と側方ガイド部材１４０とを設けた。このため、スモールオーバーラップ衝突以外の衝突の際であっても衝突性能を妨げること無く、また、スモールオーバーラップ衝突の際に、たとえバンパービームの回転等が生じたとしても、確実にバンパービームの後面６０ａとガセット１００の前端面１０１ａとが衝突して目論見の衝突性能を得ることが可能となる。
【符号の説明】
【００４４】
１    車両前部
１０    エンジン
２０    トランスミッション
３０    キャビン
３１    フロアパネル
３２    トーボード
３３    フロアトンネル
３４    Ａピラー
４０    フロントサイドフレーム
４２    ビード
６０    バンパービーム
６０ａ  後面
６１    基部
８０    フロントホイール
１００    ガセット
１０１    前端部
１０１ａ  前端面
１０２    後端部
１０３    ステー
１１０    間隔部
１２０    上方ガイド部材（規制手段）
１３０    下方ガイド部材（規制手段）
１４０    側方ガイド部材（規制手段）
Ｂ    障害物
【図１】
2015137082.tif 000003
【図２】
2015137082.tif 000004
【図３】
2015137082.tif 000005
【図４】
2015137082.tif 000006
【図５】
2015137082.tif 000007
【図６】
2015137082.tif 000008
【図７】
2015137082.tif 000009
【図８】
2015137082.tif 000010
【図９】
2015137082.tif 000011